(57)【特許請求の範囲】
【請求項１】
表示面に二次元の情報入力領域を有する表示装置と、
前記情報入力領域を指示した所定物体を検出する検出手段と、
所定の図形毎に特定色を対応付けるための設定手段と、
前記検出手段により検出された前記所定物体の色を識別する色識別手段と、
前記検出手段により検出された前記所定物体が位置する座標を検出する座標検出手段と、
前記色識別手段により識別された前記所定物体の色が前記特定色である場合に、前記設定手段により該特定色に対応付けられた前記所定の図形を、前記座標検出手段により検出された前記所定物体の座標に基づいて前記表示装置の表示面に表示させる表示制御手段と
を備えることを特徴とする電子黒板システム。
【請求項２】
前記表示制御手段は、前記所定物体の色が罫線描画機能に対応する特定色の場合には罫線描画が指示されたものとみなし、前記所定物体による指示開始時に検出された前記所定物体の位置する座標から指示終了時に検出された前記所定物体の位置する座標に応じた水平線を描画し、または、指示開始時に検出された前記所定物体の位置する座標から指示終了時の前記所定物体の位置する座標に応じた垂直線を描画することを特徴とする請求項１に記載の電子黒板システム。
【請求項３】
前記表示制御手段は、前記所定物体の色が直線描画機能に対応する特定色の場合には直線描画が指示されたものとみなし、前記所定物体による指示開始時に検出された前記所定物体の位置する座標から指示終了時の前記所定物体の位置する座標に応じた直線を描画することを特徴とする請求項１に記載の電子黒板システム。
【請求項４】
前記表示制御手段は、前記所定物体の色が円描画機能に対応する特定色の場合には円描画が指示されたものとみなし、前記所定物体による指示開始時に検出された前記所定物体の位置する座標から直近の指示座標までの距離に応じた円を順次描画することを特徴とする請求項１に記載の電子黒板システム。
【請求項５】
前記表示制御手段は、前記所定物体の色が塗りつぶし描画機能に対応する特定色の場合には塗りつぶし描画が指示されたものとみなし、当該所定物体の指示位置に描画線がある場合には、当該描画線に囲まれる部分をその描画線と同一の色にて塗りつぶすことを特徴とする請求項１に記載の電子黒板システム。
【発明の詳細な説明】
【０００１】
【発明の属する技術分野】
本発明は、電子黒板システムに関する。
【０００２】
【従来の技術】
従来より、ホワイトボードや書き込みシート等の書き込み面に筆記用具を用いて書き込んだ手書きの情報を、専用のスキャナで読み取り、専用のプリンタで記録紙に出力することが可能な電子黒板装置が知られている。これに対し、近年にあっては、電子黒板の書き込み面に情報入力装置を配置して、書き込み面に手書きで書き込んだ情報をリアルタイムでコンピュータに入力することを可能にした電子黒板システムも提供されている。
【０００３】
例えば、マイクロフィールド・グラフィックス社製（Microfield Graphics,Inc.）のソフトボードは、ホワイトボード上に情報入力装置を配設して構成され、ホワイトボード上に書かれた文字や絵等のビジュアルデータをコンピュータにリアルタイムで取り込むことを可能にした装置である。このソフトボードを用いて構成された電子黒板システムでは、ソフトボードで取り込んだビジュアルデータをコンピュータに入力してＣＲＴ（Cathode Ray Tube）に表示したり、液晶プロジェクターを用いて大型のスクリーンに表示したり、プリンタで記録紙に出力すること等が可能となっている。また、ソフトボードが接続されたコンピュータの画面を液晶プロジェクターでソフトボード上に投影し、ソフトボード上でコンピュータを操作することも可能となっている。
【０００４】
また、文字および画像を表示するための表示装置と、表示装置の表示面に座標入力面（タッチパネル面）を配設した情報入力装置と、情報入力装置からの入力に基づいて表示装置の表示制御を行う制御装置とを備え、表示装置および情報入力装置を用いて電子黒板の表示面および書き込み面を構成した電子黒板システムが提供されている。
【０００５】
例えば、スマート・テクノロジィズ社製（SMART Technologies Inc.）のスマート２０００では、コンピュータに接続された液晶プロジェクターを用いて文字・絵・図形・グラフィックの画像をパネルに投影した状態で、パネルの投影面（表示面）の表示面に配設された情報入力装置（書き込み面）を用いて手書きの情報をコンピュータに取り込む処理を行う。そして、コンピュータ内で手書きの情報と画像情報とを合成し、再度、液晶プロジェクターを介してリアルタイムで表示できるようにしている。
【０００６】
このような電子黒板システムでは、表示装置によって表示されている画面上の画像に対して、情報入力装置を用いて入力した画像を上書き画像として重ねて表示できるため、既に会議、プレゼンテーション、教育現場等において広く利用されており、その使用効果が高く評価されている。また、このような電子黒板システムに音声・画像等の通信機能を組み込み、遠隔地間を通信回線で接続することにより、電子会議システムとしても利用されている。
【０００７】
ところで、従来の電子黒板システムにおける文字や絵等の色の切替手法としては、電子黒板システムの制御装置に組み込まれるアプリケーションソフトである電子黒板ソフトウェアの機能によって表示装置上に各種の操作を行なうための複数のボタンを並べたツールバーを表示し、その表示されたツールバーに割り当てられた各ボタンをユーザに操作させることにより色を切替えるようにしたものがある。なお、ツールバーに割り当てられた各ボタンには、文字や絵等の色を指定して手書きで書くことができる描画モードを選択させる各色毎のペンボタンの他、手書きで書いた文字や絵等を消すことができる消去モードを選択させる消しゴムボタンも含まれている。
【０００８】
【発明が解決しようとする課題】
しかしながら、前述したような電子黒板システムは、パーソナルコンピュータ等の普及に伴い、情報の入力および表示をするための有力なツールとして位置付けられているが、まだ、完全とはいえず、本格的な実用化に向けていまだ解決されねばならない課題が多々存在する。
【０００９】
第一に、描画線の色等を変更する場合には、
ツールバーアイコン→プルダウンメニュー→ダイアログボックス
という煩わしい操作が必要となることである。この操作を行うには電子黒板ソフトウェアの基本的な知識が必要である。このような電子黒板システムは、会議室などで不特定多数を対象とした使用を目的としているが、電子黒板ソフトウェアの知識を持たない者が多い場合があり、その場合には描画線の色等の変更機能をあまり利用することができないという問題がある。
【００１０】
第二に、誤って描画した部分を消す場合にも、
ツールバーアイコン→プルダウンメニュー→ダイアログボックス
という煩わしい操作が必要となることである。この操作を行うにも電子黒板ソフトウェアの基本的な知識が必要である。
【００１１】
第三に、罫線（垂直線、水平線）を描画する場合にも、
ツールバーアイコン→プルダウンメニュー→ダイアログボックス
という煩わしい操作が必要となることである。この操作を行うにも電子黒板ソフトウェアの基本的な知識が必要である。
【００１２】
第四に、直線を描画する場合にも、
ツールバーアイコン→プルダウンメニュー→ダイアログボックス
という煩わしい操作が必要となることである。この操作を行うにも電子黒板ソフトウェアの基本的な知識が必要である。
【００１３】
第五に、円を描画する場合にも、
ツールバーアイコン→プルダウンメニュー→ダイアログボックス
という煩わしい操作が必要となることである。この操作を行うにも電子黒板ソフトウェアの基本的な知識が必要である。
【００１４】
第六に、塗りつぶし描画する場合にも、
ツールバーアイコン→プルダウンメニュー→ダイアログボックス
という煩わしい操作が必要となることである。この操作を行うにも電子黒板ソフトウェアの基本的な知識が必要である。
【００１５】
つまり、表示装置および情報入力装置を用いて電子黒板の表示面および書き込み面を構成した電子黒板システムを利用するには電子黒板ソフトウェアの知識が必要となりパソコンを操作したことが無い者、あっても電子黒板ソフトウェアの知識がないものは利用できないという欠点を持っている。
【００１６】
本発明の目的は、電子黒板ソフトウェアの知識を必要とせず通常の黒板と同様の操作性が得られ、誰でも黒板と同様の取り扱い方で利用することができる電子黒板システムを提供することである。
【００１７】
【課題を解決するための手段】
請求項１記載の発明の電子黒板システムは、表示面に二次元の情報入力領域を有する表示装置と、前記情報入力領域を指示した所定物体を検出する検出手段と、所定の図形毎に特定色を対応付けるための設定手段と、前記検出手段により検出された前記所定物体の色を識別する色識別手段と、前記検出手段により検出された前記所定物体が位置する座標を検出する座標検出手段と、前記色識別手段により識別された前記所定物体の色が前記特定色である場合に、前記設定手段により該特定色に対応付けられた前記所定の図形を、前記座標検出手段により検出された前記所定物体の座標に基づいて前記表示装置の表示面に表示させる表示制御手段とを備えることを特徴とする。
【００２０】
請求項２記載の発明の電子黒板システムは、請求項１に記載の電子黒板システムにおいて、前記表示制御手段が、前記所定物体の色が罫線描画機能に対応する特定色の場合には罫線描画が指示されたものとみなし、前記所定物体による指示開始時に検出された前記所定物体の位置する座標から指示終了時に検出された前記所定物体の位置する座標に応じた水平線を描画し、または、指示開始時に検出された前記所定物体の位置する座標から指示終了時の前記所定物体の位置する座標に応じた垂直線を描画することを特徴とする。
【００２１】
請求項３記載の発明の電子黒板システムは、請求項１に記載の電子黒板システムにおいて、前記表示制御手段が、前記所定物体の色が直線描画機能に対応する特定色の場合には直線描画が指示されたものとみなし、前記所定物体による指示開始時に検出された前記所定物体の位置する座標から指示終了時の前記所定物体の位置する座標に応じた直線を描画することを特徴とする。
【００２２】
請求項４記載の発明の電子黒板システムは、請求項１に記載の電子黒板システムにおいて、前記表示制御手段が、前記所定物体の色が円描画機能に対応する特定色の場合には円描画が指示されたものとみなし、前記所定物体による指示開始時に検出された前記所定物体の位置する座標から直近の指示座標までの距離に応じた円を順次描画することを特徴とする。
【００２３】
請求項５記載の発明の電子黒板システムは、請求項１に記載の電子黒板システムにおいて、前記表示制御手段が、前記所定物体の色が塗りつぶし描画機能に対応する特定色の場合には塗りつぶし描画が指示されたものとみなし、当該所定物体の指示位置に描画線がある場合には、当該描画線に囲まれる部分をその描画線と同一の色にて塗りつぶすことを特徴とする。
【００２４】
【発明の実施の形態】
本発明の実施の一形態を図１ないし図８に基づいて説明する。
【００２５】
ここで、図１は本実施の形態の電子黒板システム１００を示すシステム構成図である。図１に示すように、本実施の形態の電子黒板システム１００は、大画面のＰＤＰ（Plasma Display Panel）である表示装置１０１と、その表示装置１０１の表示面１０１ａの右下部と左下部にそれぞれ設けられて表示装置１０１の表示面１０１ａ上のペン、指等の所定物体Ｏを検出する光学方式（再帰光遮蔽方式、再帰光反射方式、回転走査系を有する再帰光遮蔽方式、回転走査系を有する再帰光反射方式、カメラ撮像方式等）の座標検出装置１とこれらの座標検出装置１により検出した所定物体Ｏの位置座標を検出する座標入力部６とを有する情報入力装置１０４と、所定物体Ｏの位置座標に基づいて表示装置１０１に表示される表示内容を制御する制御装置であるホストＰＣ（Personal Computer）１０３と、により構成されている。
【００２６】
まず、各座標検出装置１について説明する。座標検出装置１は、表示装置１０１の表示面１０１ａ上に二次元の情報入力領域１ａを形成するものであって、例えば表示装置１０１の表示面１０１ａ上のペン、指等の所定物体Ｏを検出し、検出した所定物体Ｏを座標入力制御装置１０２へと送出する。
【００２７】
加えて、電子黒板システム１００の情報入力装置１０４にはＣＣＤカメラ２が設けられており、このＣＣＤカメラ２は表示装置１０１の表示面１０１ａに接触する物体を撮影し、その画像データを座標入力制御装置１０２へと送出する。ここで、図２はＣＣＤカメラ２の設置状態を示す縦断側面図である。図２に示すように、ＣＣＤカメラ２は、斜線で示した部分（表示装置１０１の表示面１０１ａから数センチの範囲）にある所定物体Ｏを撮影する。これにより所定物体Ｏの先端部分（所定物体Ｏがペンの場合にはペン先）の色の判定が可能になる。
【００２８】
続いて、座標検出装置１によって検出した所定物体Ｏの位置座標やＣＣＤカメラ２によって撮影した所定物体Ｏのペン先の色が送出される座標入力制御装置１０２について説明する。座標入力制御装置１０２は、ＣＰＵ（Central Processing Unit）３を備えたコンピュータ構成とされており、このＣＰＵ３が座標入力制御装置１０２に設けられたＲＧＢ出力部４、画像入力部５、座標入力部６、ホストＩ／Ｆ部７、ＲＧＢ入力部８の各部を制御する。ＣＰＵ３に制御される各部の動作について以下に簡略的に説明する。
【００２９】
ＲＧＢ出力部４は、ＲＧＢ入力部８を介して入力された画像データを表示装置１０１に表示出力する。
【００３０】
画像入力部５は、ＣＣＤカメラ２により撮影された画像データを入力し、表示装置１０１の表示面１０１ａ上の所定物体Ｏの先端部分（所定物体Ｏがペンの場合にはペン先）の色を検出する。ここに、色識別手段が実現されている。
【００３１】
座標入力部６は、表示装置１０１の表示面１０１ａ左上を原点（０，０）とし、座標検出装置１から送出された表示装置１０１の表示面１０１ａ上の所定物体Ｏに基づいて、所定物体Ｏの位置座標（Ｘ、Ｙ）を例えば三角測量の原理によって検出する。
【００３２】
ホストＩ／Ｆ部７は、ＲＳ２３２Ｃ，ＵＳＢ等で接続されるホストＰＣ１０３に対し、所定物体Ｏの先端部分（所定物体Ｏがペンの場合にはペン先）の色、所定物体Ｏの位置座標（Ｘ、Ｙ）を送信する。
【００３３】
続いて、座標入力制御装置１０２にホストＩ／Ｆ部７を介して接続されるホストＰＣ１０３について説明する。ホストＰＣ１０３には、タッチパネルドライバ９、画像メモリー１０、描画制御プログラム１１が備えられており、タッチパネルドライバ９は座標入力制御装置１０２から所定物体Ｏの先端部分（所定物体Ｏがペンの場合にはペン先）の色、所定物体Ｏの位置座標（Ｘ、Ｙ）を受信、描画制御プログラム１１へと引き渡す。そして、描画制御プログラム１１は、電子黒板ソフトウェアであって、入力された所定物体Ｏの色や位置座標（Ｘ、Ｙ）に基づいて画像メモリー１０への描画を実行したり、あるいは画像メモリー１０の描画像を消去する。
【００３４】
ここで、ホストＰＣ１０３の描画制御プログラム１１が実行する特長的な機能について説明する。ここで、図３は描画制御プログラム１１が実行されている場合の表示装置１０１の表示画面を示す正面図である。図３に示すように、電子黒板システム１００を電子黒板として使用する場合においては、表示装置１０１の表示面１０１ａにはツールバー等は一切表示されず、いわゆる黒板画面Ａのみが表示される。このような黒板画面Ａに対し、所定物体Ｏである付属するペンで操作することにより描画、所定物体Ｏである付属する黒板消しで操作することにより誤描画部分を消去する。なお、ホストＰＣ１０３下で実行される電子黒板ソフトウェアである描画制御プログラム１１以外のＡＰＬソフトウェアを実行する場合には、図示しないキーボードから「Ｃｏｎｔｒｏｌ」キーと「Ａｌｔ」キーと「Ｒ」キーとを同時に操作することにより、ＯＳ（Operating System）が提供するＡＰＬ起動画面に戻すことが可能である。
【００３５】
次いで、描画制御プログラム１１により実現されるペン機能設定の機能について図４のペン機能設定画面を参照して説明する。ペン機能設定は、表示装置１０１に、図４に示すようなダイアログボックスＢを表示し、このダイアログボックスを操作することにより実行される。このダイアログボックスＢを操作することにより、文字描画ペン以外の機能を実行するペン（黒板消し）の色及び太さが設定される。なお、このようなペン機能の設定は、例えば電子黒板管理者等により予め設定される。
【００３６】
次に、このような電子黒板システム１００における座標情報に基づく描画・消去処理について、図５に示すフローチャート、図６に示す描画・消去状態を例示的に示す説明図を参照して説明する。
【００３７】
図６に示す座標（Ｘ１、Ｙ１）は所定物体Ｏであるペン（黒板消し）のタッチ（指示）開始時座標を示し、デタッチ（指示終了）であると判断されるまで座標（（Ｘ２、Ｙ２），（Ｘ３、Ｙ３），（Ｘ４、Ｙ４），・・・）が順次入力される。
【００３８】
ここで、図６の▲１▼は文字描画状態を示すものであり、ＣＣＤカメラ２により撮影された画像データに基づいて検出されたペンの色、当該色のペンに設定されている太さにて各座標間を順次直線描画することで、文字描画が実行される。この場合、座標検出間隔は数ミリ程度であるため、ペンの軌跡通りに文字描画が実行されることになる。つまり、文字描画の際には、選択されたペンの色により描画色が自動的に選択されるので、電子黒板ソフトウェアの知識を必要とせず通常の黒板と同様の操作性が得られ、誰でも黒板と同様の取り扱い方で利用することが可能となる。
【００３９】
図６の▲２▼は罫線描画状態を示すものである。罫線描画は、ダイアログボックスＢで設定された罫線描画ペン用の色のペンを選択することを条件として実行される。なお、罫線描画ペン用の色のペンが選択されたか否かの判断は、ＣＣＤカメラ２により撮影された画像データに基づいて検出されたペンの色によって行われる。このような罫線描画は、タッチ開始時に入力された座標（Ｘ１、Ｙ１）のＹ座標を固定として順次入力される各座標のＸ座標間を直線で結ぶ水平線、または、タッチ開始時に入力された座標（Ｘ１、Ｙ１）のＸ座標を固定として順次入力される各座標のＹ座標間を直線で結ぶ垂直線を、ＣＣＤカメラ２により撮影された画像データに基づいて検出されたペンの色、当該色のペンに設定されている太さ、または、所定の色や太さにて描画することで、罫線を表現するものである。つまり、罫線描画の際には、罫線描画ペンを選択することにより罫線描画ができるため、ダイアログボックスの表示などによるコンピュータ操作感覚を排除し、誰でも罫線描画を容易に行うことが可能となる。
【００４０】
図６の▲３▼は直線描画状態を示すものである。直線描画は、ダイアログボックスＢで設定された直線描画ペン用の色のペンを選択することを条件として実行される。なお、直線描画ペン用の色のペンが選択されたか否かの判断は、ＣＣＤカメラ２により撮影された画像データに基づいて検出されたペンの色によって行われる。このような直線描画は、タッチ開始時に入力された座標（Ｘ１、Ｙ１）と次座標（Ｘ２、Ｙ２）とから直線の方向を固定して入力されるＸ座標とベクトル方向（θ）とからＹ座標を決定し、順次２点間をＣＣＤカメラ２により撮影された画像データに基づいて検出されたペンの色、当該色のペンに設定されている太さ、または、所定の色や太さにて描画することで、直線を表現するものである。図７に直線描画の際のベクトル方向（θ）及びＹ座標の算出方法を示す。つまり、直線描画の際には、直線描画ペンを選択することにより直線描画ができるため、ダイアログボックスの表示などによるコンピュータ操作感覚を排除し、誰でも直線描画を容易に行うことが可能となる。
【００４１】
図６の▲４▼は円描画状態を示すものである。円描画は、ダイアログボックスＢで設定された円描画ペン用の色のペンを選択することを条件として実行される。なお、円描画ペン用の色のペンが選択されたか否かの判断は、ＣＣＤカメラ２により撮影された画像データに基づいて検出されたペンの色によって行われる。このような円描画は、タッチ開始時に入力された座標（Ｘ１、Ｙ１）と現座標（Ｘ、Ｙ）とから半径Ｒ（Ｒ＝√（Ｘ−Ｘ１）２＋（Ｙ−Ｙ１）２）を算出、現座標（Ｘ，Ｙ）を円の中心とした円を、ＣＣＤカメラ２により撮影された画像データに基づいて検出されたペンの色、当該色のペンに設定されている太さ、または、所定の色や太さにて順次描画するものである。なお、円は指示位置の変更の度に順次描画されることから、旧円描画部分は指示位置の変更の度に黒板画面Ａの背景色に戻される。図８に円描画の一例を示す。つまり、円描画の際には、円描画ペンを選択することにより円描画ができるため、ダイアログボックスの表示などによるコンピュータ操作感覚を排除し、誰でも円描画を容易に行うことが可能となる。
【００４２】
図６の▲５▼は描画部分消去状態を示すものである。描画部分消去は、ダイアログボックスＢで設定された描画部分消去用の色の黒板消しを選択することを条件として実行される。なお、描画部分消去用の色の黒板消しが選択されたか否かの判断は、ＣＣＤカメラ２により撮影された画像データに基づいて検出された黒板消しの色によって行われる。このような描画部分消去は、各座標間を順次点線描画し、この点線で囲まれる部分（図６の▲５▼参照）の座標と一致する描画座標があればこれを黒板画面Ａの背景色に置換えることにより描画を消去するものである。なお、描画座標は、描画時に、線種、太さ、色等とともに保存されている。つまり、描画部分消去の際には、選択された黒板消しの色により描画が自動的に消去されるので、電子黒板ソフトウェアの知識を必要とせず通常の黒板と同様の操作性が得られ、誰でも黒板と同様の取り扱い方で利用することが可能となる。
【００４３】
なお、特に図示しないが、塗りつぶしペンを選択することによる塗りつぶし描画も実行可能になっており、塗りつぶしペンの指示位置に描画線がある場合には、当該描画線に囲まれる部分をその描画線と同一の色にて塗りつぶすことにより、ダイアログボックスの表示などによるコンピュータ操作感覚を排除し、誰でも塗りつぶし描画を容易に行うことが可能となる。
【００４４】
なお、本実施の形態においては、三角測量の手法によって指示位置を算出する光学方式の座標検出装置１を有する情報入力装置１０４に適用したが、本発明はこれらの方式に限定されるものではなく、例えばＬＥＤアレイ方式、超音波弾性波方式、アナログ容量結合方式、感圧方式等を含む情報入力装置全般について適用されることは言うまでもない。
【００４５】
【発明の効果】
請求項１記載の発明の情報入力装置によれば、表示面に二次元の情報入力領域を有する表示装置と、前記情報入力領域を指示した所定物体を検出する検出手段と、所定の図形毎に特定色を対応付けるための設定手段と、前記検出手段により検出された前記所定物体の色を識別する色識別手段と、前記検出手段により検出された前記所定物体が位置する座標を検出する座標検出手段と、前記色識別手段により識別された前記所定物体の色が前記特定色である場合に、前記設定手段により該特定色に対応付けられた前記所定の図形を、前記座標検出手段により検出された前記所定物体の座標に基づいて前記表示装置の表示面に表示させる表示制御手段とを備えることにより、所定物体の色を変更すれば、その色情報に応じて描画図形を切り替えることができるので、作業効率を向上させることができる。
【００４８】
請求項２記載の発明の電子黒板システムによれば、請求項１に記載の電子黒板システムにおいて、前記表示制御手段が、前記所定物体の色が罫線描画機能に対応する特定色の場合には罫線描画が指示されたものとみなし、前記所定物体による指示開始時に検出された前記所定物体の位置する座標から指示終了時に検出された前記所定物体の位置する座標に応じた水平線を描画し、または、指示開始時に検出された前記所定物体の位置する座標から指示終了時の前記所定物体の位置する座標に応じた垂直線を描画することにより、罫線描画の際には、罫線描画機能に対応する特定色である所定物体を選択することにより罫線描画ができるため、ダイアログボックスの表示などによるコンピュータ操作感覚を排除し、誰でも罫線描画を容易に行うことができる。
【００４９】
請求項３記載の発明の電子黒板システムによれば、請求項１に記載の電子黒板システムにおいて、前記表示制御手段が、前記所定物体の色が直線描画機能に対応する特定色の場合には直線描画が指示されたものとみなし、前記所定物体による指示開始時に検出された前記所定物体の位置する座標から指示終了時の前記所定物体の位置する座標に応じた直線を描画することにより、直線描画の際には、直線描画機能に対応する特定色の所定物体を選択することにより直線描画ができるため、ダイアログボックスの表示などによるコンピュータ操作感覚を排除し、誰でも直線描画を容易に行うことができる。
【００５０】
請求項４記載の発明の電子黒板システムによれば、請求項１に記載の電子黒板システムにおいて、前記表示制御手段が、前記所定物体の色が円描画機能に対応する特定色の場合には円描画が指示されたものとみなし、前記所定物体による指示開始時に検出された前記所定物体の位置する座標から直近の指示座標までの距離に応じた円を順次描画することにより、円描画の際には、円描画機能に対応する特定色の所定物体を選択することにより円描画ができるため、ダイアログボックスの表示などによるコンピュータ操作感覚を排除し、誰でも円描画を容易に行うことができる。
【００５１】
請求項５記載の発明の電子黒板システムによれば、請求項１に記載の電子黒板システムにおいて、前記表示制御手段が、前記所定物体の色が塗りつぶし描画機能に対応する特定色の場合には塗りつぶし描画が指示されたものとみなし、当該所定物体の指示位置に描画線がある場合には、当該描画線に囲まれる部分をその描画線と同一の色にて塗りつぶすことにより、塗りつぶし描画の際には、塗りつぶし描画機能に対応する特定色の所定物体を選択することにより塗りつぶし描画ができるため、ダイアログボックスの表示などによるコンピュータ操作感覚を排除し、誰でも塗りつぶし描画を容易に行うことができる。
【図面の簡単な説明】
【図１】本発明の実施の一形態の電子黒板システムを示すシステム構成図である。
【図２】ＣＣＤカメラの設置状態を示す縦断側面図である。
【図３】描画制御プログラムが実行されている場合の表示装置の表示画面を示す正面図である。
【図４】ペン機能設定画面を示す正面図である。
【図５】描画・消去処理の流れを概略的に示すフローチャートである。
【図６】描画・消去状態を例示的に示す説明図である。
【図７】直線描画の際のベクトル方向（θ）及びＹ座標の算出方法を示す説明図である。
【図８】円描画の一例を示す説明図である。
【符号の説明】
１ａ        情報入力領域
１００      電子黒板システム
１０１      表示装置
１０１ａ    表示面
１０３      制御装置
１０４      情報入力装置
【図１】
0004266076.tif 000002
【図２】
0004266076.tif 000003
【図３】
0004266076.tif 000004
【図４】
0004266076.tif 000005
【図５】
0004266076.tif 000006
【図６】
0004266076.tif 000007
【図７】
0004266076.tif 000008
【図８】
0004266076.tif 000009